(57)【要約】ゴルフシステムは、打撃エリアと、打撃エリアに対して異なる位置に配置された複数の物理的標的を含む標的エリアと、物理的なゴルフボールの移動に関するパラメータを検知するための少なくとも１つの検知装置と、を含む。プロセッサは、バーチャルゴルフホールのティーオフ位置およびピン位置の相対位置を定義するゴルフホールデータを含むデータベースにアクセスし、打撃エリアから打たれた物理的なゴルフボールの移動に関する１つ以上のパラメータに基づいて、バーチャルゴルフホール上のバーチャルゴルフボールのバーチャル位置を更新し、バーチャルゴルフボールのバーチャル位置および物理的標的の位置に基づいて、複数の物理的標的のうちのどれがピン位置の方向を表すかの指標を提供する信号を生成するように構成されている。【選択図】図１
2020516406.tif 000002
【特許請求の範囲】
【請求項１】
ゴルフシステムであって、
打撃エリアと、
複数の物理的標的を含む標的エリアであって、前記物理的標的が前記打撃エリアに対して異なる位置に配置されている標的エリアと、
前記打撃エリアから打たれた物理的なゴルフボールの移動に関する１つ以上のパラメータを検知するための少なくとも１つの検知装置と、
少なくとも１つのプロセッサであって、
バーチャルゴルフホールのティーオフ位置およびピン位置の相対位置を定義するゴルフホールデータを含むデータベースにアクセスし、
前記打撃エリアから打たれた物理的なゴルフボールの移動に関する１つ以上のパラメータに基づいて、前記バーチャルゴルフホール上のバーチャルゴルフボールのバーチャル位置を更新し、
前記バーチャルゴルフボールのバーチャル位置および前記打撃エリアに対する物理的標的の位置に基づいて、前記複数の物理的標的のうちのどれが前記ピン位置の方向を表すかの指標を提供する信号を生成する
ように構成された少なくとも１つのプロセッサと、
を含む、ゴルフシステム。
【請求項２】
複数の標的エリアであって、前記複数の標的エリアの第１の標的エリアは、前記打撃エリアと前記第１の標的エリアの複数の物理的標的との間の第１の距離範囲を有し、また、前記複数の標的エリアの第２の標的エリアは、前記打撃エリアと前記第２の標的エリアの複数の物理的標的との間の第２の距離範囲を有しており、前記第１の距離範囲が前記第２の距離範囲とは異なる、複数の標的エリアを含む、請求項１に記載のゴルフシステム。
【請求項３】
前記少なくとも１つのプロセッサは、前記バーチャルゴルフホールのピン位置に対する前記バーチャルゴルフボールのバーチャル位置に基づいて、前記複数の標的エリアのうちのどれに次のショットが向けられるかの指標を提供する信号を生成するように構成されている、請求項１に記載のゴルフシステム。
【請求項４】
ティーショット用に配置された物理的標的を有する第１の標的エリアと、
アプローチショット用に配置された物理的標的を有する第２の標的エリアと、
チップショットまたはピッチショット用に配置された物理的標的を有する第３の標的エリアと、
パッティング用に配置された物理的標的を有する第４の標的エリアと、
を含む、請求項１に記載のゴルフシステム。
【請求項５】
前記打撃エリアが複数の打撃位置を含む、請求項１に記載のゴルフシステム。
【請求項６】
前記複数の打撃位置は、異なるゴルフボールのライに対応する異なる物理的地面特性を有する打撃位置を含む、請求項４に記載のゴルフシステム。
【請求項７】
前記複数の標的エリアに対応する複数の打撃エリアを含み、前記少なくとも１つのプロセッサは、前記バーチャルゴルフホールのピン位置に対するバーチャルゴルフボールのバーチャル位置に基づいて、次のショットがどの打撃エリアで打たれるかの指標を提供する信号を生成するように構成されている、請求項２に記載のゴルフシステム。
【請求項８】
前記複数の打撃エリアが、中央の打撃間エリアの周りに配置されている、請求項７に記載のゴルフシステム。
【請求項９】
プレイヤー識別子に関連付けられたデバイスと通信するための少なくとも１つの通信インタフェースを含み、前記少なくとも１つのプロセッサが、
前記打たれた物理的なボールの移動に関するパラメータを前記プレイヤー識別子に関連付け、
前記プレイヤー識別子に関連付けられたバーチャルゴルフボールのバーチャル位置を更新し、
前記少なくとも１つの通信インタフェースを介して、前記プレイヤー識別子に関連付けられたプレイヤーがどの物理的標的を標的とするかの指標を、前記プレイヤー識別子に関連付けられたデバイスに通信するための信号を生成する
ように構成されている、請求項１に記載のゴルフシステム。
【請求項１０】
前記打撃エリア内の複数の識別子を含み、前記複数の識別子のそれぞれが前記打撃エリアの一部に対応しており、
前記少なくとも１つのプロセッサは、次のゴルフボールの打撃が行われる打撃エリアの部分に対応する識別子を伝達する信号を生成するように構成されている、請求項１に記載のゴルフシステム。
【請求項１１】
前記少なくとも１つのプロセッサが、前記バーチャルゴルフボールのバーチャル位置および前記打撃エリアに対する物理的標的の位置に基づいて、前記打撃エリアの部分に対応する識別子を選択するように構成されている、請求項１に記載のゴルフシステム。
【請求項１２】
標的エリア内の複数の物理的標的と、ゴルフボールを前記標的エリアに打つ打撃エリアとを含むゴルフ施設の操作方法であって、
少なくとも１つのプロセッサを用いて、かつ少なくとも１つの検知装置から、前記打撃エリアから打たれた物理的なゴルフボールの移動を定義する１つ以上のパラメータを受信するステップと、
前記少なくとも１つのプロセッサによって、前記打たれたゴルフボールの移動を定義するパラメータを、バーチャルゴルフホール上のバーチャルゴルフボールのバーチャル位置を定義するボール位置データに対応するプレイヤープロファイルに関連付けるステップと、
前記打撃エリアから打たれた物理的なゴルフボールの移動に関する１つ以上のパラメータと、バーチャルゴルフホールのティーオフ位置およびピン位置の相対位置を定義するゴルフホールデータとに基づいて、前記ボール位置データを更新して、前記バーチャルゴルフホール上のバーチャルゴルフボールの更新されたバーチャル位置を定義するステップと、
前記ゴルフ施設の打撃エリアに対するゴルフ施設の標的エリア内の複数の物理的標的の位置に関するデータを含むゴルフ施設データに基づいて、前記バーチャルゴルフボールの更新されたバーチャル位置と前記打撃エリアに対する物理的標的の位置とに基づき前記ピン位置の方向に関する情報を提供する、複数の物理的標的のうちの特定の物理的標的の指標を提供する信号を生成するステップと、
を含む、方法。
【請求項１３】
前記少なくとも１つの検知装置から受信される１つ以上のパラメータは、ボール速度、ボール角度、またはボールスピンデータのうちの少なくとも１つを含む、請求項１２に記載の方法。
【請求項１４】
前記打たれたゴルフボールをプレイヤープロファイルに関連付けるステップは、前記打たれたゴルフボールが打たれた場所を示す、少なくとも１つの検知装置から受信した１つ以上のパラメータに基づいており、前記打たれたゴルフボールが打たれた場所は、前記プレイヤープロファイルに関連付けられたデバイスに対応している、請求項１２に記載の方法。
【請求項１５】
前記ゴルフ施設データおよび前記バーチャルゴルフボールの更新されたバーチャル位置に基づいて、次のゴルフボールが打たれる、複数の打撃エリアのうちの特定の打撃エリアの指標を提供する信号を生成するステップを含む、請求項１２に記載の方法。
【請求項１６】
前記特定の打撃エリアと前記特定の物理的標的との間の位置関係に基づいて、前記ピン位置の方向に関する情報を提供するための指標に、前記複数の物理的標的のうちのどれを使用するかを決定するステップを含む、請求項１５に記載の方法。
【請求項１７】
それぞれの複数のバーチャルゴルフホール上の前記プレイヤープロファイルに関連する複数のバーチャルボール位置を同時に追跡するステップと、第２の打撃エリアからの前記複数のバーチャルゴルフホールのうちの少なくとも２つの打撃ボールの物理的標的の指標を提供する信号を生成する前に、第１の打撃エリアからの前記複数のバーチャルゴルフホールのうちの少なくとも２つの打撃ボールの物理的標的の指標を提供する信号を生成するステップと、を含む、請求項１２に記載の方法。
【請求項１８】
第２のゴルフ施設の第２のプレイヤーに関連付けられたデバイスにて、競争情報を表示するための通信ネットワークを介して、前記プレイヤープロファイルに対応するボール位置データを通信するステップを含み、前記競争情報は、前記プレイヤープロファイルに関連付けられた第１のプレイヤーの進行状況を前記第２のプレイヤーの進行状況と比較するためのものである、請求項１２に記載の方法。
【請求項１９】
前記少なくとも１つの検知装置から受信した１つ以上のパラメータに基づいて、１つ以上の記憶装置に、打たれたゴルフボールの数と前記打たれたゴルフボールのそれぞれの移動距離とを示すゴルフショットデータを格納するステップと、
複数のプレイヤープロファイルの前記ゴルフショットデータに基づいて、前記複数のプレイヤープロファイルのゴルフゲーム結果の比較を表示するための信号を生成するステップと、
を含む、請求項１２に記載の方法。
【請求項２０】
前記特定の物理的標的の指標は、前記プレイヤープロファイルに関連付けられたモバイルデバイス上に表示される、請求項１２に記載の方法。
【請求項２１】
打たれたショット数と、前記複数のバーチャルゴルフホールのそれぞれのピン位置に対する複数のバーチャルゴルフホールのそれぞれのバーチャルボール位置とに基づいて、進捗スコアを表示するための信号を生成するステップを含む、請求項１７に記載の方法。
【請求項２２】
非一時的な、コンピュータ可読媒体またはコンピュータ可読命令を格納した媒体であって、実行時に、
少なくとも１つの検知装置から、ゴルフ施設の打撃エリアであって、複数の物理的標的を含む、ゴルフボールを標的エリア内に打つ打撃エリアから打たれた物理的なゴルフボールの移動を定義する１つ以上のパラメータを受信し、
前記打たれたゴルフボールの移動を定義するパラメータを、バーチャルゴルフホール上のバーチャルゴルフボールのバーチャル位置を定義するボール位置データに対応するプレイヤープロファイルに関連付け、
前記打撃エリアから打たれた物理的ゴルフボールの移動に関する１つ以上のパラメータと、バーチャルゴルフホールのティーオフ位置およびピン位置の相対位置を定義するゴルフホールデータとに基づいて、前記ボール位置データを更新して、前記バーチャルゴルフホール上のバーチャルゴルフボールの更新されたバーチャル位置を定義し、
前記ゴルフ施設の打撃エリアに対するゴルフ施設の標的エリア内の複数の物理的標的の位置に関するデータを含むゴルフ施設データに基づいて、前記バーチャルゴルフボールの更新されたバーチャル位置と前記打撃エリアに対する物理的標的の位置とに基づく前記ピン位置の方向に関する情報を提供する、前記複数の物理的標的のうちの特定の物理的標的の指標を提供する信号を生成する
ための少なくとも１つのプロセッサを構成する、非一時的な、コンピュータ可読媒体またはコンピュータ可読命令を格納した媒体。
【発明の詳細な説明】
【関連出願の相互参照】
【０００１】
本出願は、２０１７年４月１０日に出願され、「ゴルフシステム」と題された、米国仮特許出願第６２／４８３６１８号への優先権を含む全ての利益を主張し、その全体が参照により本明細書に組み込まれる。
【技術分野】
【０００２】
本開示の実施形態は、一般にゴルフ技術に関し、特にゴルフシステムおよび方法、デバイス、並びにゴルフシステム用のコンピュータ可読媒体に関する。
【背景技術】
【０００３】
従来のゴルフコースは、大きな土地区画を必要とし、維持費が高く、中心地から離れて位置していることが多い。コースのメンテナンスには機械作業および手作業を必要とし、大量の燃料、水、および化学物質を消費し得る。
【０００４】
ゴルフのゲームは、多くの場合、かなりの時間と金銭的な貢献を伴う。グリーンフィー、設備費、移動時間、待ち時間、および伝統的なゴルフゲームの全体的に遅いペースは全て、このスポーツへの理解を妨げる可能性がある。
【発明の概要】
【課題を解決するための手段】
【０００５】
一態様によれば、打撃エリアと、複数の物理的標的であって、打撃エリアに対して異なる位置に配置されている物理的標的を含む標的エリアと、打撃エリアから打たれた物理的なゴルフボールの移動に関する１つ以上のパラメータを検知するための少なくとも１つの検知装置と、少なくとも１つのプロセッサであって、バーチャルホールのティーオフ位置およびピン位置の相対位置を定義するゴルフホールデータを含むデータベースにアクセスし、打撃エリアから打たれた物理的なゴルフボールの移動に関する１つ以上のパラメータに基づいて、バーチャルゴルフホール上のバーチャルゴルフボールのバーチャル位置を更新し、バーチャルゴルフボールのバーチャル位置および打撃エリアに対する物理的標的の位置に基づいて、複数の物理的標的のうちのどれがピン位置の方向を表すかの指標を提供する信号を生成するように構成された、少なくとも１つのプロセッサとを含むゴルフシステムが提供される。
【０００６】
別の態様によれば、標的エリア内の複数の物理的標的と、ゴルフボールをそこから標的エリア内に打つ打撃エリアとを含むゴルフ施設を操作する方法が提供される。この方法は、少なくとも１つのプロセッサにより、かつ少なくとも１つの検知装置から、打撃エリアから打たれた物理的なゴルフボールの移動を定義する１つ以上のパラメータを受信するステップと、少なくとも１つのプロセッサによって、打たれたゴルフボールの移動を定義するパラメータを、バーチャルゴルフホール上のバーチャルゴルフボールのバーチャル位置を定義するボール位置データに対応するプレイヤープロファイルに関連付けるステップと、打撃エリアから打たれた物理的なゴルフボールの移動に関する１つ以上のパラメータとバーチャルゴルフホールのティーオフ位置およびピン位置の相対位置を定義するゴルフホールデータとに基づいて、バーチャルゴルフホール上のバーチャルゴルフボールの更新されたバーチャル位置を定義するボール位置データを更新するステップと、ゴルフ施設の打撃エリアに対するゴルフ施設の標的エリア内の複数の物理的標的の位置に関するデータを含むゴルフ施設データに基づいて、バーチャルゴルフボールの更新されたバーチャル位置および打撃エリアに対する物理的標的の位置に基づき、ピン位置の方向に関する情報を提供する、複数の物理的標的のうちの特定の物理的標的の指標を提供する信号を生成するステップと、を含む。
【０００７】
別の態様によれば、非一時的な、コンピュータ可読媒体またはコンピュータ可読命令を格納した媒体が提供される。これは、実行時に、少なくとも１つの検知装置から、ゴルフ施設の打撃エリアであって、複数の物理的標的を含む標的エリアにそこからゴルフボールを打つ打撃エリアから打たれた物理的なゴルフボールの移動を定義する１つ以上のパラメータを受信し、打たれたゴルフボールの移動を定義するパラメータを、バーチャルゴルフホール上のバーチャルゴルフボールのバーチャル位置を定義するボール位置データに対応するプレイヤープロファイルに関連付け、打撃エリアから打たれた物理的なゴルフボールの移動に関する１つ以上のパラメータとバーチャルゴルフホールのティーオフ位置およびピン位置の相対位置を定義するゴルフホールデータとに基づいて、バーチャルゴルフホール上のバーチャルゴルフボールの更新されたバーチャル位置を定義するボール位置データを更新し、ゴルフ施設の打撃エリアに対するゴルフ施設の標的エリア内の複数の物理的標的の位置に関するデータを含むゴルフ施設データに基づいて、バーチャルゴルフボールの更新されたバーチャル位置と打撃エリアに対する物理的標的の位置とに基づく、ピン位置の方向に関する情報を提供する、複数の物理的標的のうちの特定の物理的標的の指標を提供する信号を生成するための少なくとも１つのプロセッサを構成する。
【０００８】
次に、本開示の例示的な実施形態を示す図面を参照する。
【図面の簡単な説明】
【０００９】
【図１】例示的なゴルフシステムの態様を示す図である。
【図２Ａ】例示的なゴルフシステムの態様を示す図である。
【図２Ｂ】例示的なゴルフシステムの態様を示す図である。
【図３】複数の標的エリアを含む、例示的なゴルフシステムの態様を示す図である。
【図４】複数の標的エリアを含む、例示的なゴルフシステムの態様を示す図である。
【図５】複数の標的エリアを含む、例示的なゴルフシステムの態様を示す図である。
【図６】ティーショットに対する、例示的な打撃エリアおよび標的エリアの態様を示す図である。
【図７】アプローチショットに対する、例示的な打撃エリアおよび標的エリアの態様を示す図である。
【図８】チップ／ピッチショットに対する、例示的な打撃エリアおよび標的エリアの態様を示す図である。
【図９】パッティングに対する、例示的な打撃エリアおよび標的エリアの態様を示す図である。
【図１０】ゴルフ施設の例示的な操作方法の態様を示す図である。
【図１１】例示的なゴルフシステムにおける電子デバイスを示す図である。
【発明を実施するための形態】
【００１０】
いくつかの実施形態では、本出願の態様は、インフラストラクチャ、並びに、修正されたゴルフゲームの基礎となる技術システムおよび方法を提供し得る。
【００１１】
修正されたゴルフゲームに対するいくつかのアプローチは、インドアティーマットおよびボールのバーチャルな飛行経路を表示するスクリーンを含む。これらのアプローチの一部は、屋外で過ごす時間、グループの友情や競争、ショットの結果の視覚的確認や関連する満足感、およびショットの結果に対する天候やゴルフボールの現実的な影響を含む、ゲームの最高の特性の一部を失う。
【００１２】
図１は、例示的なゴルフシステムまたは施設１００の態様を示す俯瞰図である。ゴルフシステム１００は、１つ以上の打撃エリア１１０および１つ以上の標的エリア１２０を含む。打撃エリア１１０は、プレイヤーがゴルフボールを標的エリア１２０内に打つ、または標的エリア１２０に向けて打つ、任意の境界を引かれたまたは指定されたエリアであり得る。
【００１３】
いくつかの実施形態では、打撃エリア１１０は、ティーボックス等の別個のエリアであってもよく、または例えば図１に示されるようにゴルフホールの一部であるように見えてもよい。
【００１４】
標的エリア１２０は、１つ以上の物理的標的１３０を含むことができる。いくつかの実施形態では、物理的標的１３０は、フラグ１３０Ａ−１、１３０Ａ−２、ライト１３０Ｂ−１、１３０Ｂ−２、標識１３０Ｃ、ヤーデージマーカー１３０Ｄ、自然ランドマーク１３０Ｅ、または打撃エリア１１０内のプレイヤーの標的として機能し得る任意の他の物体を含み得る。
【００１５】
物理的標的１３０は、打撃エリア１１０に対して異なる位置に配置される。いくつかの実施形態では、システム１００は、打撃エリア１１０に対する物理的標的１３０の位置を定義するデータを格納するための１つ以上のメモリデバイスを含む。例えば、物理的標的１３０の相対位置を定義するデータは、打撃エリア１１０からの距離、角度、および／または高度を含むことができる。
【００１６】
いくつかの実施形態では、標的エリア１２０は、従来のゴルフコースのゴルフホールの特徴１４０を含むように設計されている。例えば、標的エリア１２０は、フェアウェイ１４０Ａ、グリーン１４０Ｂ、ラフ１４０Ｃ、サンドトラップ１４０Ｄ、水１４０Ｅ、木１４０Ｆ、傾斜、異なる高度等を含むことができる。いくつかの実施形態では、メモリデバイスは、打撃エリア１１０に対する標的エリア１２０内のゴルフ特性１４０の位置を定義するデータを格納する。
【００１７】
いくつかの実施形態では、標的エリア１２０は、２つ以上のゴルフホールの特徴を含み得る。例えば、標的エリア１２０は、複数のグリーン、ホール、フェアウェイ等を含むことができる。
【００１８】
図２Ａおよび図２Ｂに示すように、いくつかの実施形態では、１つの標的エリア１２０を複数の打撃エリア１１０に関連付けることができる。打撃エリア１１０は、標的エリア１２０に対して異なる位置に配置することができる。いくつかの実施形態では、メモリデバイスにより、各打撃エリア１１０に対する標的エリア１２０内の物理的標的１３０の位置を定義するゴルフ施設データを格納することができる。
【００１９】
いくつかの実施形態では、システム１００は、打撃エリア１１０から打たれた物理的なゴルフボールの移動に関する１つ以上のパラメータを検知するための１つ以上の検知装置１５０を含む。いくつかの実施形態では、検知装置１５０は、ボールの速度、スピン、軌道、ボール経路の水平および／または垂直角度等に関するデータを検知するためのカメラやレーダ等を含み得る。いくつかの実施形態では、検知装置は、ボールの移動中に複数回パラメータを検知することができる。いくつかの実施形態では、検知装置１５０は、スイング速度、クラブ軌道、ボールとの衝突時のクラブフェースの角度等のクラブの動きまたは位置に関するデータを検知してもよい。
【００２０】
いくつかの実施形態では、検知装置１５０は、ボールの移動に影響する（に関する）追加のパラメータとして、風向および風速、湿度、降水量、および／または他の気象特性を検知する装置を含むことができる。いくつかの実施形態では、これらの気象関連パラメータは、ボールがどれほど遠くまで移動したかを判定するための計算に含まれる。
【００２１】
いくつかの実施形態では、１つ以上の検知装置１５０は、複数の打撃エリア１１０から打たれたボールのデータを検知することができる。
【００２２】
いくつかの実施形態では、検知装置１５０および／またはシステムの他の態様は、Ｔｏｐｔｒａｃｅｒ（商標）、Ｐｒｏｔｒａｃｅｒ（商標）、Ｔｒａｃｋｍａｎ（商標）および／または他の適切な技術によって提供される技術を含むことができる。
【００２３】
いくつかの実施形態では、検知装置１５０は、打撃エリア１１０内またはその付近、および／または標的エリア１２０内またはその付近に配置されてもよい。例えば、いくつかの実施形態では、検知装置１５０は、ボールがバンカー１４０Ｄ、水１４０Ｅ、またはグリーン１４０Ｂに着地したことを確認するためのカメラ等の、標的エリア１２０内のゴルフ特性１４０内またはその付近に配置されてもよい。
【００２４】
いくつかの実施形態では、検知装置１５０は、位置追跡装置を含むことができる。例えば、いくつかの実施形態では、システムは、ボールが打たれた後のボールの位置に関する検知データを提供するＧＰＳデバイスをボールに含んでもよい。
【００２５】
システム１００は、修正されたゴルフゲームに信号を提供するように構成された１つ以上のプロセッサを含む。プロセッサは、１つ以上のサーバ、コンピュータ、モバイルデバイス等の一部であってもよい。いくつかの実施形態では、プロセッサによって実行される動作は、単一の電子デバイス上の１つ以上のプロセッサによって、または複数のデバイスに分散したプロセッサによって実行され得る。
【００２６】
いくつかの実施形態では、プロセッサは、１つ以上のデータ記憶装置からゴルフホールデータにアクセスするように構成される。ゴルフホールデータは、データベースまたは任意の他のデータ形式で保存することができる。いくつかの実施形態では、ゴルフホールデータは、バーチャルゴルフホールのティーオフ位置およびピン位置の相対位置を定義する。
【００２７】
例えば、いくつかの実施形態では、ゴルフホールデータは、デカルト座標あるいは動径座標、またはバーチャルゴルフホールおよびティーオフ位置の相対位置を定義するための任意の他のデータを含むことができる。いくつかの実施形態では、ゴルフホールデータは標高値を含んでもよい。
【００２８】
いくつかの実施形態では、ゴルフホールデータは、グリーンの位置、バンカーの位置、ウォーターハザードの位置等、ゴルフホールの特徴の位置を定義するデータを含むことができる。
【００２９】
いくつかの実施形態では、ゴルフホールデータは、ティーオフエリア、ゴルフホール、グリーン、フェアウェイ、バンカー、ウォーターハザード等の特定の特徴によってカバーされるエリアの周囲を定義する、またはそのエリアを定義するデータを含むことができる。
【００３０】
動作時には、プロセッサは、ゴルフホール上のプレイヤーのボールのバーチャル位置を追跡および更新するように構成される。プレイヤーがホールを開始しているとき、プロセッサはプレイヤーのボールのバーチャル位置をティーオフ位置に設定する。
【００３１】
プレイヤーのボールの現在のバーチャル位置に基づいて、プロセッサは、複数の物理的標的のうちのどれが打撃エリア１１０からのピン位置の方向および／または距離を表すかの指標を提供する信号を生成する。
【００３２】
例えば、パー４またはパー５のホールでのティーショットの場合、プロセッサは、ホールの方向が電球１３０Ｂ−２の方向であることを示す信号を生成し得る。これは、例えば、右ドッグレッグのホールの場合が挙げられる。
【００３３】
打撃エリア１１０に対するバーチャルピンの位置に基づいて、異なるバーチャルレイアウトを有する異なるホールについては、プロセッサは、（例えば、左ドッグレッグのホールの場合）ホールの方向がヤーデージマーカー１３０Ｄの方向にあることを示す、または（例えば、ほぼ直線状のホールの場合）ホールの方向が木１３０Ｅの方向にあること示す信号を生成し得る。
【００３４】
いくつかの実施形態では、信号は、２つ以上の物理的標的に対する標的の指標を提供し得る。例えば、指標は、ピンの方向がライト１３０Ｂ−１と木１３０Ｅとの間にあることを示してもよい。
【００３５】
場合によっては、ホールのバーチャルピン位置に対するプレイヤーのバーチャルボール位置と、フラグ位置１３０Ａ−１または１３０Ａ−２に対する打撃エリア１１０の位置とに基づいて、プロセッサは、ホールがフラグ１３０Ａ−１または１３０Ａ−２のいずれかにあることを示す信号を生成し得る。プロセッサによって示される物理的なフラグまたは他の標的により、プレイヤーにホールの方向および距離の実際の視野を提供することができる。
【００３６】
いくつかの実施形態では、どの物理的標的がピンの方向および／または距離を表すかの指標を提供するように生成された信号は、打撃エリア１１０またはその付近のディスプレイに指標を表示するための命令の生成を含む。例えば、ディスプレイ装置は、打撃エリア１１０またはその付近に配置することができ、プロセッサから信号を受信すると、テキスト、画像、および／またはプレイヤーが標的とする物理的標的の任意の他の指標を表示することができる。例えば、いくつかの実施形態では、ディスプレイは、ホールがライト１３０Ｂ−１の方向にあることを示すテキストを表示してもよい。いくつかの実施形態では、ディスプレイは、代替的または付加的に、ライト１３０Ｂ−１等の標的の画像を（単独でまたはその環境に）表示してもよい。
【００３７】
いくつかの実施形態では、標的は、数字または他の記号（例えば、木＃５０、トライアングルフェアウェイ、フラグ＃２５、スクエアサイン＃１８）によって識別され得る。これらの識別子は、標的に配置された標識として標的エリアに提示するか、または関連する打撃エリアのプレイヤーが見えるように標的に直接書き込み／描画することができる。
【００３８】
いくつかの実施形態では、ディスプレイは各打撃エリア１１０のデバイス上にあり得る。付加的または代替的に、いくつかの実施形態では、ディスプレイは、プレイヤーまたはグループ内のプレイヤーの１人に関連するモバイルデバイス上にあってもよい。
【００３９】
いくつかの実施形態では、標的の指標を提供する信号は、標的エリア１２０内の物理的標的１３０を照明またはハイライトするために、ライトをオンにするか、またはデバイスを制御することができる。
【００４０】
いくつかの実施形態では、指標を提供する信号は、音声機器に物理的標的の音声指標を提供させてもよい。
【００４１】
いくつかの実施形態では、プロセッサは、プレイヤーのボールのバーチャル位置、ゴルフホールデータ、および標的エリア１２０内のゴルフ特性の物理的位置に基づいて、プレイにハザードがあるか否かを示す信号を生成してもよい。例えば、プロセッサにより、現在のホールにウォーターハザードがないことを、ゴルフホールデータが示すと判断した場合、プロセッサは、プレイヤーが物理的なウォーターハザード１４０Ｅを無視することができることの指標を提供する信号を生成することができる。従って、プレイヤーがボールを水中に打ち込んだ場合、プレイヤーはペナルティを科されない。
【００４２】
プレイヤーが打撃エリア１１０から物理的なゴルフボールを打つとき、プロセッサは、物理的なゴルフボールの移動に関する１つ以上のパラメータを示すデータを検知装置１５０から受信する。いくつかの実施形態では、これらのパラメータに基づいて、プロセッサは、バーチャルホール上のプレイヤーのゴルフボールの新しいバーチャル位置を決定する。例えば、検知されたデータが、プレイヤーが中心から左５度に２５０ヤードの物理的なゴルフボールを打ったことを示している場合、プロセッサはプレイヤーのバーチャルボールの位置の値をそれに応じて更新するように構成されている。
【００４３】
再びプレイヤーの番になると、プロセッサは、プレイヤーのバーチャルボールの更新された位置に基づいて、物理的標的のうちのどれがピンの方向および／または距離を表すかの指標を生成するように構成されている。
【００４４】
いくつかの実施形態では、検知されたデータに基づいて、プロセッサは、プレイヤーのバーチャルボールのライを識別することができる。例えば、ゴルフホールのデータおよびプレイヤーのバーチャルボールの更新された位置に基づいて、プロセッサはプレイヤーのボールがバンカーにある、ラフにある、水中にある、傾斜上にある、フェアウェイにある、ティーオフしている等と、判断することができる。
【００４５】
いくつかの実施形態では、ボールのライおよび／または位置が、ペナルティーストロークをトリガーする場合があり、および／またはプロセッサにより、プレイヤーがもう１回ボールを打つべきであることを示す信号が生成される場合がある。
【００４６】
いくつかの実施形態では、打撃エリア１１０は、異なるライに対応する物理的な地面特性を有する部分を含む。例えば、打撃エリア１１０は、芝が短いフェアウェイ部分、砂のあるバンカー部分、芝の長いラフ部分、ティーボックス、および／または任意の他のライを有することができる。いくつかの実施形態では、プロセッサにより、プレイヤーのバーチャルボールのライに基づいて、プレイヤーがボールを打つべき打撃エリア１１０の部分の指標を提供する信号を生成することができる。
【００４７】
いくつかの実施形態では、プロセッサにより、ライに基づいてプレイヤーのボールのバーチャル位置を調整することができる。例えば、ラフにあるボールは、ホールへの相対距離を１０〜４０ヤード増加させる場合がある。
【００４８】
いくつかの実施形態では、システム１００は複数の標的エリア１２０を有してもよく、または標的エリアは異なるゾーンを有してもよい。図３は、４つの標的エリア１２０Ａ、１２０Ｂ、１２０Ｃ、１２０Ｄを有する例示的なシステム３００を示す。図３は、比較的効率的スペースを有効利用した標的エリアの特定の配置を示しているが、他の配置も可能である。他の実施形態では、異なる打撃エリアは、同じ標的エリアの少なくとも一部を共有することができる。
【００４９】
この例示的な実施形態では、システム３００は、長い標的エリア１２０Ａを有する。この標的エリア１２０Ａおよび対応する打撃エリア１１０Ａは、ホールからの距離が長いドライブまたは後続のショットに使用され得るであろう。いくつかの実施形態では、長い標的エリア１２０Ａは、ラフ、異なるフェアウェイ幅、フェアウェイバンカー、ウォーターハザード等の、長いホールの初期部分に対応する物理的標的および特徴を有し得る。いくつかの例では、長い標的エリア１２０Ａは３５０〜４００ヤードの長さであり得る。
【００５０】
図６は、長い標的エリアを有するシステム６００の態様を示す。
【００５１】
いくつかの実施形態では、システム３００は、アプローチショット標的エリア１２０Ｂを含む。いくつかの例では、アプローチショット標的エリア１２０Ｂは、異なる距離（例えば４０ヤードごと）および／または異なる方向に一連のグリーン（および任意にバンカー、水等）を含むことができる。いくつかの例では、グリーンは異なる物理的なピン標的を有し得る。いくつかの例では、アプローチショット標的エリア１２０Ｂは、３００ヤードの長さであり得る。
【００５２】
図７は、アプローチショット標的エリアを有するシステム７００の態様を示す。
【００５３】
いくつかの実施形態では、システム３００は、ピッチング／チッピング標的エリア１２０Ｃ、および／またはパッティング標的エリア１２０Ｄを含む。図８は、ピッチング／チッピング標的エリアを有するシステム８００の態様を示す。図９は、パッティング標的エリアを有するシステム９００の態様を示す。
【００５４】
いくつかの実施形態では、ピッチング／チッピング標的エリア１２０Ｃ等の標的エリアのグリーンは、プレイヤーがパッティング標的エリア１２０Ｄのグリーン上のどこからパットすべきかの指標を提供するいくつかの物理的マーカーを有し得る。図３に示すように、いくつかの実施形態では、パッティング標的エリア１２０Ｄは、パッティング打撃エリア１１０Ｄと重複しても、またはパッティング打撃エリア１１０Ｄと見なされてもよい。
【００５５】
いくつかの実施形態では、パッティングエリア１１０Ｄ／１２０Ｄは、パッティング位置を識別する１つ以上のラベル付きマーカーと、物理的標的を識別する１つ以上のラベル付きホールとを含み得る。いくつかの実施形態では、プロセッサは、プレイヤーがパットするパッティング位置と、プレイヤーが標的にしているホールとの両方の指標を提供する信号を生成する。いくつかの実施形態では、ラベル付きホールは、パッティング位置の指標を提供することもできる。いくつかの実施形態では、打撃位置（即ち、プレイヤーがパットするパッティング位置）および物理的標的は、バーチャルボール位置とバーチャルホールとの間の経路の距離および起伏／勾配に一致する、打撃位置と物理的標的との間の経路の距離および起伏／勾配に基づいて、プロセッサによって選択される。
【００５６】
いくつかの実施形態では、プロセッサは、プレイヤーまたはグループが、プレイヤーのバーチャルボールの位置に基づいて、次のショットのために異なる打撃エリアに移動するときに通信するための信号を生成するように構成される。
【００５７】
いくつかの場合においては、本開示の実施形態は、複数のプレイヤーおよび／またはグループが異なる打撃エリアで同時にプレイすることを可能にし得る。場合によっては、本システムの実施形態でプレイされるゴルフのラウンドは、従来のゴルフのラウンドよりも速くなる可能性があり、および／またはプレイヤー／グループのより大きなスループットを提供する可能性がある。
【００５８】
いくつかの実施形態では、例えば本明細書で説明されるようなゴルフシステムを構築および維持するための土地の量および対応するコストは、従来のゴルフコースよりも大幅に少ない場合がある。例えば、４象限ゴルフシステムは、場合によっては、１８ホールのゴルフコースの建設に必要な土地の１０分の１を利用し得る。
【００５９】
図５は、例示的な４象限ゴルフシステム５００の態様を示す。いくつかの実施形態では、異なる象限の打撃エリア（または任意の数の打撃エリア）は、打撃間エリア５１０を中心とすることができる。いくつかの実施形態では、打撃間エリアを中心とした打撃エリアを有することにより、象限間のプレイヤーの移動量を低減することができる。図５の例示的なシステム５００は食物およびラウンジ施設を示しているが、他の実施形態では、打撃間エリアは線であってもよく、または打撃エリア間の小さな通路であってもよい。
【００６０】
一般に、近接しており、かつ他の打撃エリアから離れた標的エリアを標的とするように設計された任意の数の打撃エリアは、移動時間を短縮し、プレイヤーのスループットを増加させ得る。いくつかの実施形態では、これにより、システムのスペース（土地）要件が削減され得る。
【００６１】
図１０は、本明細書に記載の、または他の方法によるゴルフ施設を操作するための例示的な方法の態様を示す。
【００６２】
１０１０において、システム内の１つ以上のプロセッサが、打撃エリアから打たれた物理的なゴルフボールの移動を定義するパラメータを受信する。パラメータは、いくつかの実施形態では、１つ以上の検知装置によって検知することができる。いくつかの実施形態では、ゴルフボールの移動を定義するパラメータは、ボール速度、ボールスピン、ボール角度、クラブ運動パラメータ、天候パラメータ、および／またはこれらあるいは他のパラメータの任意の組み合わせに関するデータを含むことができる。
【００６３】
いくつかの実施形態では、パラメータは検知データから計算することができる。例えば、ボールの移動を定義するパラメータ（例えば、ボールの軌道、速度、距離、角度、飛行経路、ボールの打撃点に対する相対的な着地／最終位置）は、いくつかの実施形態では、ビデオおよび／またはレーダーデータを処理してパラメータを決定するための計算を伴い得る。
【００６４】
１０２０では、プロセッサにより、ボールの移動を定義するパラメータをプレイヤープロファイルに関連付ける。プレイヤープロファイルは、ボール位置データを含むか、ボール位置データにリンクされるか、またはボール位置データに対応している。ボール位置データは、バーチャルゴルフホール上のプレイヤーのバーチャルゴルフボールのバーチャル位置を定義する。いくつかの実施形態では、ボール位置データは、ゴルフホール／コースを定義するグリッドまたはマップ上の座標を含み得る。いくつかの実施形態では、ボール位置データは、バーチャルゴルフホールのホールの位置に対する座標として定義することができる。他の実施形態では、異なる特性を備えた領域／位置を有するエリア内の対象物の位置を管理するための他のデータ構造を使用することができる。
【００６５】
いくつかの実施形態では、プロセッサは、ボールが打たれた位置を定義するパラメータに基づいて、打たれたボールを関連付ける。この位置に基づいて、いくつかの実施形態では、プロセッサは、打たれたボールを、プレイヤープロファイルに関連付けられたデバイスに、またはボールが打たれた位置のしきい値距離内の位置における打撃エリアの部分に関連付ける。例えば、プレイヤープロファイルに関連付けられたデバイスは、デバイスをプレイヤープロファイル（例えば、ゴルフホール、ボールの移動データ、および／またはプレイヤーがプレイヤープロファイルにログインした次のショットの表示にアクセスするためにインストールされたプログラム）に関連付けるアプリケーションを実行するモバイルデバイスを含み得る。プロセッサは、デバイスのＧＰＳまたは他の位置情報サービス、ビーコン、近距離無線通信接続状況、または任意の他の位置検出メカニズムを介してモバイルデバイスの位置を決定することができる。
【００６６】
いくつかの実施形態では、打撃エリアの部分（例えば、ストール）は、バーコード、ＲＦＩＤ、ＱＲコード等のスキャン可能なタグを含むことができる。プレイヤーのデバイスがタグをスキャンすると、デバイス上のアプリケーションがプロセッサにメッセージを生成して、デバイスに関連付けられたプレイヤープロファイルが、打撃エリアの部分から打たれる次のボールに関連付けられていることを示すことができる。
【００６７】
いくつかの実施形態では、スキャン可能なタグは、プレイヤーが打撃エリア間に持参する、プレイヤーのデバイスまたは物理的なタグ（例えば、スキャン可能なキーフォブ、印刷コード等）によって提供されてもよく、打撃エリアの部分におけるスキャン装置によりタグを同様にスキャンし、次の打撃とデバイスに関連付けられたプレイヤープロファイルとの間を関連付けることができる。
【００６８】
いくつかの実施形態では、システムは、プレイヤープロファイルに関連付けられた生物学的データ（例えば、顔のスキャン、指紋、ビデオトラッキング／認識、一意のプレイヤーのゴルフクラブスイングシグネチャ、および／または任意の他の識別可能な情報またはそれらの組み合わせ）の捕捉を通じてプレイヤーを識別するように構成することができる。
【００６９】
いくつかの実施形態では、プロセッサは、どのプレイヤープロファイルが打撃エリアの識別された部分から次のボールを打つべきかの指標を提供する。例えば、打撃エリアの部分またはプレイヤーデバイスのディスプレイは、ストール６からボールを打つ次のプレイヤーがプレイヤープロファイルＸであることを示すことができる。従って、プロセッサは、ストール６から打たれる次のボールの移動を定義するパラメータをプレイヤープロファイルＸに関連付ける。
【００７０】
いくつかの実施形態では、打撃エリアの部分から打たれる特定のボールをプレイヤープロファイルに関連付けてもよい。例えば、ボールは、ゴルフシステムがボールの移動パラメータを検出し、それに応じてボールの移動パラメータを、ボールに関連付けられたプレイヤープロファイルに関連付けることができる追跡機構および／または一意の識別子を含むことができる。いくつかの実施形態では、一意の識別子は、色、数字、または１つ以上の検知装置によって捕捉可能な他の視覚的識別子であり得る。いくつかの実施形態では、ボールは、電子的またはその他の方法でスキャンされたときに一意の識別子を提供する埋め込みチップまたは回路を含むことができる。
【００７１】
１０３０において、プレイヤープロファイルに関連付けられた物理的ボールの移動に関するパラメータに基づいて、プロセッサは、プレイヤープロファイルに関連付けられたボール位置データを更新して、ゴルフホール上のプレイヤーのバーチャルゴルフボールの更新されたバーチャル位置を定義する。
【００７２】
いくつかの実施形態では、パラメータは、ボールが移動した距離と方向を示す。いくつかの実施形態では、プロセッサは、パラメータからボールが移動した距離および方向を計算する。打撃エリアでの物理的なボールの打撃位置と、表示された物理的標的に対するボールの移動方向とに基づいて、プロセッサは、バーチャルホール上のプレイヤーのバーチャルボールが移動した距離および方向を決定し、ボール位置データを更新する。
【００７３】
いくつかの実施形態では、プロセッサは、物理的ボールの打撃位置をバーチャルボールの初期位置に関連付け、標的エリア内の表示された物理的標的をバーチャルゴルフボールのバーチャルピンに関連する方向および距離と相関させる。これらの関連付けを使用して、プロセッサは物理的なボールの移動パラメータに基づいてバーチャルボールの新しい位置を決定する。
【００７４】
いくつかの実施形態では、プロセッサは、地面に当たる前に物理的なボールが移動する距離および方向を決定し、ボールがバーチャルホールにて着地したであろう場所の地面の特徴に基づいて、バーチャルボールの距離および方向を調整する。例えば、物理的なボールが２００ヤードだけある方向に移動し、バーチャルホールがその方向の２００ヤード先にラフまたはサンドトラップがあることを示している場合、プロセッサは、バーチャルホールにて地面に当たった後、ボールが移動したであろう低減された距離に基づいて、バーチャルボールの移動距離を低減するように構成することができる。同様に、プロセッサにより、天候（例えば、風、雨）や、地面特性（例えば、ラフ、フェアウェイ、グリーン、水、砂、木、ハザード等）のような、バーチャルホールにおけるゲーム定義の条件に合わせて調整することができる。
【００７５】
同様に、いくつかの実施形態では、プロセッサは、バーチャルゴルフホールの高度の変化に基づいて、移動するバーチャルボールの距離および方向を調整することができる。
【００７６】
１４１０において、プレイヤーのバーチャルボールおよびバーチャルゴルフホール上のバーチャルピンの位置に基づいて、プロセッサは、物理的標的を識別して、プレイヤーの次のショットのための情報を提供する。いくつかの実施形態では、識別された物理的標的は、ゴルフ施設の標的エリアにおける標的の位置に関するデータを含むゴルフ施設データに基づいている。
【００７７】
いくつかの実施形態では、特定の物理的標的の指標の提供には、プレイヤーがボールを打つべきである打撃エリアの指標を提供することを含む。いくつかの実施形態では、プロセッサは、プレイヤーがボールを打つべき物理的地面特性の指標を提供することができる。
【００７８】
いくつかの実施形態では、特定の物理的標的の指標の提供には、付加的または代替的に、ビューに示される関連する物理的標的インジケータとともにバーチャルゴルフコースのビューを表示することを含み得る。例えば、図１を参照すると、打撃エリア１１０からライト１３０Ｂ−１に向けたショットのバーチャルビューは、左に３本の木（１４０Ｆ）、右に１本の木（１３０Ｅ）を有する、左に曲がるフェアウェイを示すことができ、また、バーチャルホールとは無関係であり得る、右に曲がるウォーターハザード１４０Ｅまたはフェアウェイ等の特徴を除外し得る。いくつかの実施形態では、これにより、プレイヤーが標的エリア１２０の物理的属性に対してバーチャルホールを視覚化するのを助けることができる。
【００７９】
いくつかの実施形態では、識別された物理的標的は、プレイヤーが既に位置している打撃エリアに基づいて選択される。例えば、状況によっては、プロセッサはプレイヤーの打撃位置を、プレイヤープロファイルに関連付けられた以前に打たれたボールが打たれた打撃位置として利用する。これに基づいて、プロセッサは、ゴルフ施設データを利用して、バーチャルホールで標的とすべき距離および方向に対応する相対距離および相対方向を有する物理的標的を識別する。場合によっては、物理的標的は、プレイヤーの位置に対するバーチャルホール上のバーチャルピンのおおよその方向および距離を示す標的エリアのフラグまたはホールであり得る。場合によっては、物理標的はフェアウェイ、距離マーカー、またはプレイヤーのバーチャルボールがバーチャルホールに向かう経路で遭遇し得るバーチャルホール特性についてプレイヤーに指標を提供するための任意の他の物理的ランドマークであってもよい。
【００８０】
いくつかの実施形態では、プロセッサは、プレイヤーの次のショットのために打撃エリアおよび識別された物理的標的を選択する。例えば、プロセッサは、バーチャルボール位置およびバーチャルホールデータに基づいて、異なる打撃エリア（例えば、異なる象限）または打撃エリア内の異なる場所（例えば、異なるストール、異なる初期パッティング位置）に移動するようにプレイヤーに指示する信号を生成してもよい。
【００８１】
いくつかの実施形態では、プレイヤーの次のショットの打撃位置は、少なくとも部分的に、どの打撃位置が現在使用されていないか、または別のプレイヤーによる使用が予定されているかに基づいて選択され得る。
【００８２】
いくつかの実施形態では、一緒にプレイしている全てのプレイヤーのバーチャルボールの位置に基づいて、プレイヤーの次のショットの打撃位置を選択することができる。プロセッサは、プレイヤーが一緒にいられるように、パーティー内の全てのプレイヤーに適切な標的を有する打撃位置を選択するように構成されてもよい。
【００８３】
いくつかの実施形態では、プレイヤーの次のショットの打撃位置は、ゴルフシステムの打撃位置から打たれたショットの追跡履歴に基づいて選択することができる。例えば、プロセッサは、使用レベル、例えばその位置から打たれたショット数、またはその位置の状態データ（例えば、検知装置によって検出されたディボットや枯れ草、またはプレイヤーおよび／またはメンテナンス作業員に関連する装置から受信した入力データ）に少なくとも部分的に基づいて適切な打撃位置を選択することにより、摩滅を広げるように構成することができる。
【００８４】
いくつかの実施形態では、指標は、プレイヤーのバーチャルボールの位置に基づいて、プレイヤーの次のショットのライの指標を含むことができる。異なる物理的地面特性を備えた打撃エリアを有するゴルフ施設では、プレイヤーはフェアウェイ部分、バンカー部分、ラフ部分、ティーボックス、スロープ、および／または任意の他のライ上の打撃エリアから打つことができる。
【００８５】
いくつかの実施形態では、プロセッサは、バーチャルホール上のプレイヤーのバーチャルボールのライに基づいて打撃位置を選択することができる。
【００８６】
プロセッサは、バーチャルホールのピン位置の方向に関する情報を提供するために、選択された物理的標的の指標を提供する信号を生成する。いくつかの実施形態では、指標は、プレイヤープロファイルに関連付けられたモバイルデバイス上に表示するために提供される。いくつかの実施形態では、指標は、打撃エリア内または打撃エリアの周囲の１つ以上のディスプレイデバイス上に表示するために提供される。例えば、画面により、プレイヤーＸが象限１のストール２からフェアウェイＹに向けて次のショットを打つべきであることを示すことができる。
【００８７】
いくつかの実施形態では、指標を提供する信号は、標的エリア内の物理的標的を照明、移動、または他の方法で視覚的に強調することを含み得る。例えば、物理的標的にライトを当てる（または、プレイヤープロファイルに関連付けられた特定の色で照らす）、または標的フラグを振ること等も可能である。
【００８８】
いくつかの実施形態では、プロセッサは、各プレイヤープロファイルのスコアを維持し、および／またはゲームプレイを管理するように構成される。いくつかの実施形態では、プロセッサは、システム全体にわたってプレイヤープロファイルのゲームプレイを調整するように構成される。いくつかの実施形態では、プロセッサは、異なるプレイヤーまたはグループが打撃エリア間を移動するときに、各打撃エリア内の部分（例えば、ストール、ティーボックス）を含む打撃エリアを管理する。
【００８９】
いくつかの実施形態では、ゴルフホールは、システムデータベースに格納されたゴルフコース／ホールのメニューから選択することができる。いくつかの実施形態では、ゴルフホールのデータベースは、現実世界のゴルフコースからのホールの表現を含んでもよい。いくつかの実施形態では、プロセッサは、プレイヤーがプレイしたいホールおよび／またはコースを選択することができるようにするメニューを提示するユーザインタフェースを表示するための信号を生成することができる。いくつかの実施形態では、ユーザインタフェースは、プレイヤーが任意の組み合わせのホールを選択することを可能にし得る。いくつかの実施形態では、ユーザインタフェースは、パー、ヤーデージ、推定プレイ時間、コースデザイン、スキルチャレンジ、および／または任意の他の要因に基づいて、ゴルフホール／コースオプションをフィルタリングまたは別の方法で表示するように構成され得る。
【００９０】
いくつかの実施形態では、ユーザインタフェースにより、プレイヤーは実際のコースホールのバーチャル再現を見ることができる。
【００９１】
いくつかの実施形態では、システムは、コース／ホール選択、バーチャルボール位置、ストロークカウント、およびプレイヤープロファイルに関連する任意の他の履歴ゲームプレイデータを保存することができる。場合によっては、これにより、プレイヤーはホール／コースの一部をプレイし、続いて各ホールでプレイヤーのボールの位置を追跡しながら、後にプレイを再開することができる。
【００９２】
いくつかの実施形態では、プロセッサは、全てのプレイヤープロファイルのバーチャルボール位置を管理する。いくつかの実施形態では、プレイヤープロファイルは、複数のバーチャルホール上の複数のバーチャルボール位置を格納するか、それにリンクされるか、または別の方法で同時に関連付けられる。
【００９３】
ゲームプレイ中、いくつかの実施形態では、プロセッサは、異なる打撃エリアに移動する前に、プレイヤーが同じ打撃エリアから異なるホールに複数回ショットするように指示するか、または別の方法でそれを可能にするように構成される。例えば、プレイヤーが図５のような例示的なゴルフシステムで新しい１８ホールのゴルフラウンドを始めている場合、プレイヤーは、第２象限Ｑ２のピンまでの距離が短いショットを打つ前に、第１象限Ｑ１の打撃エリアから１８ホールコースの全てのパー４およびパー５ティーショットを打つことができる。状況によっては、これにより、ショット間のプレイヤーの移動を減少させ、またはクラブを頻繁に変更する必要性を減らすことで、従来のコースよりプレイ時間を短縮することができる。
【００９４】
いくつかの実施形態では、ゲームプレイは、任意に、次のホールに移動する前に単一のホールの全てのショットを打つことにより、従来の方法でプレイすることもできる。
【００９５】
プレイヤーまたはグループがプレイを開始すると、プロセッサは、各バーチャルホールに対してティーオフ位置となるよう、グループ内の各プレイヤープロファイルおよびプレイヤー／グループによってプレイされているバーチャルゴルフコースの各ホールのバーチャルボール位置を初期化することができる。
【００９６】
いくつかの実施形態では、プロセッサは、プレイヤーに関連付けられたデバイス上に、プレイヤープロファイルの利用可能なショットのリストを含むユーザインタフェースを表示するための信号を生成する。例えば、新しいゴルフラウンドの場合、リストには各ホールの１８ティーショット全てを列挙することができる。
【００９７】
いくつかの実施形態では、プロセッサは、特定の打撃エリア（例えば、象限）に対する傑出したショットのみを含む、利用可能なショットのリストを提供するように構成することができる。例えば、４象限システムにおける新しいゴルフラウンドでは、プロセッサは、象限１の全ての傑出したショットのリストを提供するように構成することができる。象限１から打たれる傑出した／好適なショットがないように、全てのショットが各ホールの全てのバーチャルボール位置を更新すると、リストを更新して、後続の象限における利用可能なショットのリストを表示することができる。
【００９８】
いくつかの実施形態では、リストは、各ショットに打撃エリアのどの部分（例えば、ストール）を使用可能かの識別を含むことができる。例えば、ホール１のストローク１のリストでは、象限ＱｌのティーボックスＡ、Ｂ、またはＤを列挙することができる。いくつかの実施形態では、プロセッサは、バーチャルピンの位置に対するプレイヤープロファイルのバーチャルボール位置と、バーチャルゴルフホールの他の特徴（例えば、ハザード、フェアウェイ形状等）との間の最も近い一致の識別と、打撃エリアの各部分の位置およびそれらの標的エリア内の物理的標的との位置関係とに基づいて、打撃エリアのどの部分が特定のショットに適しているかを決定する。
【００９９】
いくつかの実施形態では、プロセッサが、本明細書で説明されるように、またはその他の方法でプレイヤープロファイルを打撃エリアの部分に関連付ける（打たれたボールをプレイヤープロファイルに関連付ける）と、本明細書に記載されるように、または他の方法で、バーチャルピン位置に向かうプレイヤーの次のショットに関する情報を提供するために標的エリア内の物理的標的の指標を提供する信号を生成することができる。
【０１００】
いくつかの実施形態では、ゴルフシステムは、プレイヤーが次のショットのために打撃エリアの利用可能な任意の部分を利用することができるようにし、打撃エリアの部分にプレイヤーがいることを検知すると、システムは打撃エリアの利用部分と標的エリア内の物理標的との位置関係に基づいて、識別された物理的標的を自動的に調整することができる。
【０１０１】
いくつかの実施形態では、異なるホールの複数のショットを打撃エリアの部分から打つことが可能である場合、プロセッサは、使用可能なショットおよび打撃エリアのその部分のプレイヤープロファイルの対応する標的インジケータを列挙するメニューからの選択肢を表示し、可能にする信号を生成することができる。
【０１０２】
いくつかの状況では、プレイヤーが打撃エリアの任意の利用可能な部分に自由に移動することができるようにし、標的インジケータを動的に更新することにより、ショット間の待ち時間を短縮または排除することができる。状況によっては、これにより、システムのプレイヤースループットが向上する場合がある。状況によっては、これにより、従来のゴルフコースの場合のように、後ろにいる別のグループから圧力を受けずに、空き時間に休憩や社交等を行うことができる。
【０１０３】
いくつかの実施形態では、プロセッサは、プレイヤーが次のショットを打つことができる打撃エリアの特定の部分を識別することができる。いくつかの実施形態では、プロセッサは、打撃エリアまたは打撃エリアの一部が使用中であることを示すためのフラグまたは他のデータフィールドを格納する１つ以上のデータ構造を管理する。いくつかの実施形態では、プロセッサがプレイヤープロファイルまたはグループ内の少なくとも１つのプレイヤープロファイルの標的および／または打撃エリアを選択すると、プロセッサは打撃エリア利用可能データ構造を更新して、その部分／打撃エリアが使用中であることを示すことができる。プロセッサは、検知装置によりボールが打たれたことが検知されると、または（例えば、ビデオトラッキング／近接センシングを介して）プレイヤーが打撃エリアを離れたことが検知されると、部分／エリアが空いていることを示すように打撃エリアの利用可能データ構造を更新することができる。
【０１０４】
いくつかの実施形態では、プロセッサは、打撃エリアの利用可能データに基づいて、プレイヤープロファイルの次のショットのために打撃エリアの適切なストールまたは他の部分を識別することができる。
【０１０５】
ホール間で不均一に進行し、かつ異なる時間にショットを打つ故に、プレイヤーのグループ間の相対的な順位を決定することは困難である場合がある。
【０１０６】
いくつかの実施形態では、プロセッサは、個人および／またはグループベースでスコアを追跡するように構成される。例えば、いくつかの実施形態では、プロセッサは、各バーチャルホール上のプレイヤーのバーチャルボール位置に基づいて、パーに対するプレイヤープロファイルの最終スコアを投影することができる。いくつかの実施形態では、プロセッサは、各ホールについて、バーチャルボール位置とバーチャルピン位置との間の距離に基づいて、プレイヤープロファイルについて残っている推定ショット数を推定するように構成される。
【０１０７】
いくつかの実施形態では、推定ショット数は、バーチャルゴルフホール上のバーチャルボールのライ（例えば、ラフ、フェアウェイ、砂等）を考慮する場合がある。いくつかの実施形態では、困難なライは推定ショットの追加をもたらす。
【０１０８】
いくつかの実施形態では、推定ショット数は、プレイヤーのハンディキャップ、または現在のラウンドの過去のパフォーマンス、または任意の他の歴史的範囲を考慮してもよい。
【０１０９】
いくつかの実施形態では、プロセッサは、グループのリーダーボードを表示することができる。いくつかの例では、グループは、現在一緒にプレイしているプレイヤープロファイルのグループ、現在ゴルフ施設にいる多数のプレイヤープロファイル、またはプレイヤーが同時にゴルフ施設にいなくてもラウンドを完了することができるゴルフトーナメントであり得る。
【０１１０】
いくつかの実施形態では、あるゴルフ施設のプロセッサは、プレイヤープロファイルのゴルフラウンドデータを第２のゴルフ施設のプロセッサと通信することができる。このようにして、ある場所にいるプレイヤーは、別の場所にいるプレイヤーとプレイし、スコアを比較することができる。プレイヤーは、それぞれの施設で同時にまたは異なる時間にプレイすることができる。
【０１１１】
いくつかの実施形態では、システムは、プロゴルファーのスコアのデータベースを含むことができ、また、プロゴルファーに対するプレイヤーのスコア／進捗を表示することができる。
【０１１２】
いくつかの実施形態では、プレイヤーのスコアおよび／またはコースの進捗は、システムと相互作用するプレイヤー自身のモバイルデバイス上にローカルに保存することができる。
【０１１３】
図１１は、本明細書に記載の態様のうちの１つ以上を実装するために使用可能な、例示的なコンピューティングシステム１１００の態様を示す。コンピューティングシステム１１００は、コンピュータ、サーバ、モバイルデバイス等の１つ以上のコンピューティングデバイスを含むことができる。
【０１１４】
図示のように、コンピューティングシステム１１００は、少なくとも１つのプロセッサ１１０２、メモリ１１０４、少なくとも１つのＩ／Ｏインタフェース１１０６、および少なくとも１つのネットワークインタフェース１１０８を含む。
【０１１５】
各プロセッサ１１０２は、例えば、任意のタイプの汎用マイクロプロセッサまたはマイクロコントローラ、デジタル信号処理（ＤＳＰ）プロセッサ、集積回路、フィールドプログラマブルゲートアレイ（ＦＰＧＡ）、再構成可能プロセッサ、プログラマブル読み取り専用メモリ（ＰＲＯＭ）、または任意のそれらの組み合わせであり得る。
【０１１６】
メモリ１１０４は、例えば、ランダムアクセスメモリ（ＲＡＭ）、読み取り専用メモリ（ＲＯＭ）、コンパクトディスク読み取り専用メモリ（ＣＤＲＯＭ）、電気光学メモリ、光磁気メモリ、消去可能なプログラマブル読み取り専用メモリ（ＥＰＲＯＭ）、電気的に消去可能なプログラマブル読み取り専用メモリ（ＥＥＰＲＯＭ）、強誘電体メモリ（ＦＲＡＭ）等、内部または外部のいずれかに配置される任意のタイプのコンピュータメモリの適切な組み合わせを含むことができる。
【０１１７】
各Ｉ／Ｏインタフェース１１０６により、コンピューティングシステム１１００は、キーボード、マウス、カメラ、タッチスクリーンおよびマイクロホン等の１つ以上の入力デバイスと、またはディスプレイスクリーンおよびスピーカー等の１つ以上の出力デバイスと相互接続することができる。Ｉ／Ｏインタフェースは、検知装置、および／または打撃エリアでタグまたは他の識別子を提示／検出するための任意の他のデバイス、および／またはボールデータ、プレイヤーデータ、および／または打撃エリア関連データを決定するための任意の他のデバイスからのデータを受信することも可能にする。Ｉ／Ｏインタフェースは、標的エリア内の任意の標的または他の関連デバイス（例えば、ライト、フラグアクチュエータ等）の通信および／または作動を可能にすることもできる。
【０１１８】
いくつかの実施形態では、Ｉ／Ｏインタフェースは、標的インジケータ、スコアまたは他の情報をプレイヤーに伝えるために、打撃エリアまたは他の場所に配置され得る１つ以上のディスプレイまたは他のデバイスに接続することができる。
【０１１９】
いくつかの実施形態では、Ｉ／Ｏインタフェースは、バス、物理的接続、または無線接続（例えば、ブルートゥース（登録商標））を介して接続することができる。
【０１２０】
各ネットワークインタフェース１１０８は、コンピューティングシステム１１００が他のコンポーネントと通信して、他のコンポーネントとデータを交換し、ネットワークリソースにアクセスおよび接続し、アプリケーションにサービスし、インターネット、イーサネット、基本電話サービス（ＰＯＴＳ）回線、公衆電話交換回線網（ＰＳＴＮ）、サービス総合デジタル網（ＩＳＤＮ）、デジタル加入者線（ＤＳＬ）、同軸ケーブル、光ファイバー、衛星、モバイル、ワイヤレス（例えばＷｉ−Ｆｉ、ＷｉＭＡＸ）、ＳＳ７シグナリングネットワーク、固定回線、ローカルエリアネットワーク、ワイドエリアネットワーク、およびこれらの任意の組み合わせを含むその他を含む、データを保持可能な一ネットワーク（または複数のネットワーク）に接続することによって、他のコンピューティングアプリケーションを実行することができる。
【０１２１】
いくつかの実施形態では、ネットワークインタフェース１１０８は、プレイヤーの個々のモバイルデバイスに接続するために使用することができる。いくつかの実施形態では、プレイヤーは、システム１１００と相互作用するために自身のモバイルデバイスにソフトウェアを直接ダウンロードすることができる。
【０１２２】
コンピューティングシステム１１００は、アプリケーション、ローカルネットワーク、ネットワークリソース、他のネットワーク、およびネットワークセキュリティデバイスへのアクセスを提供する前に、（例えば、ログイン、一意の識別子、およびパスワードを使用して）ユーザを登録および認証するように動作可能である。いくつかの実施形態では、プレイヤーはモバイルデバイス上のアプリケーションにログインして、そのモバイルデバイスをプレイヤープロファイルに関連付けることができる。いくつかで実施形態では、プレイヤーは、モバイルデバイスまたはコンピューティングデバイスを自身のプレイヤープロファイルに関連付けるために、様々な打撃エリアにてモバイルデバイスまたはコンピューティングデバイスで自分のタグをスキャンすることができる。
【０１２３】
いくつかの実施形態では、コンピューティングシステム１１００は、施設の既存の検知装置および／または他のコンピューティング／モバイルデバイスとインタフェースすることができるように、ＡＰＩ（アプリケーションプログラミングインタフェース）を備えることができる。
【０１２４】
本開示は、特定の、現在好ましい実施形態に関連して提供および図示されているが、本明細書に開示される本発明の精神および範囲から逸脱することなく、多くの変形および修正を行うことができる。従って、本開示および発明は、上記の方法論または構成のそのままのコンポーネントまたは詳細に限定されるものではない。プロセス自体に必要または固有の範囲を除いて、図を含む、本開示で説明される方法またはプロセスのステップまたは段階は、特定の順序で実施することを意図または暗示していない。多くの場合、プロセス手順の順序は、記載の方法の目的、効果、または意味を変えることなく、変更することができる。特許請求の範囲は、均等物および関連する教義を十分に考慮する、添付の特許請求の範囲によってのみ定義される。
【図１】
2020516406.tif 000003
【図２Ａ】
2020516406.tif 000004
【図２Ｂ】
2020516406.tif 000005
【図３】
2020516406.tif 000006
【図４】
2020516406.tif 000007
【図５】
2020516406.tif 000008
【図６】
2020516406.tif 000009
【図７】
2020516406.tif 000010
【図８】
2020516406.tif 000011
【図９】
2020516406.tif 000012
【図１０】
2020516406.tif 000013
【図１１】
2020516406.tif 000014
【国際調査報告】
2020516406.tif 000015
2020516406.tif 000016
2020516406.tif 000017
2020516406.tif 000018
2020516406.tif 000019